(57)【要約】【課題】カメラ本体などの接眼枠に対して容易に着脱が可能であり、且つ不用意に外れることがない安価なファインダ用アイカップを提供する。【解決手段】撮影者が、カメラ本体に形成された接眼枠２からアイカップを取り外すために操作部８を操作した場合には、次のように作用する。この場合には、アイカップ爪７の爪部７ａが接眼枠２の段差部２ｂから待避する方向に回動するように、弾性部７ｂが弾性変形する。これにより、撮影者はアイカップを容易に取り外すことができる。操作部８が操作されていないときに、アイカップが接眼枠２から取り外される方向に不用意な力が加わった場合には、次のように作用する。この場合には、アイカップ爪７の爪部７ａが接眼枠２の段差部２ｂを締め付ける方向に、弾性部７ｂが弾性変形する。これにより、アイカップがカメラ本体から不用意に外れることを防止する。【選択図】図５
2008191314.tif 000002
【特許請求の範囲】
【請求項１】
両端部に対向して形成された接眼枠溝と該各接眼枠溝の一部にそれぞれ設けられた段差部とを有し外部機器本体に形成された接眼枠に対して、取り付け可能に構成されたファインダ用アイカップにおいて、
前記各段差部にそれぞれ係合可能な一対の爪部、及び該一対の爪部をつなぐ弾性部を有するアイカップ爪と、
当該アイカップを前記接眼枠から取り外すための操作部と、
前記アイカップ爪と前記操作部を保持するアイカップ本体とを備え、
前記操作部の操作が行われずに前記接眼枠から当該アイカップが取り外される方向に力が加わったときに、前記弾性部を押圧する突起部を前記アイカップ本体に設けたことを特徴とするファインダ用アイカップ。
【請求項２】
前記弾性部は、前記操作部が操作されたときに、前記一対の爪部が前記接眼枠に形成された段差部から外れる方向に弾性変形し、前記操作部の操作が行われずに前記突起部によって押圧されたときに、前記一対の爪部が前記段差部を締め付ける方向に弾性変形することを特徴とする請求項１に記載のファインダ用アイカップ。
【請求項３】
前記突起部は、前記アイカップ爪の中央部を押圧する位置に形成したことを特徴とする請求項１又は２に記載のファインダ用アイカップ。
【請求項４】
両端部に対向して形成された接眼枠溝と該各接眼枠溝の一部にそれぞれ設けられた段差部とを有し外部機器本体に形成された接眼枠に対して、取り付け可能に構成されたファインダ用アイカップにおいて、
前記段差部に係合可能な爪部、当該アイカップを前記接眼枠より取り外す方向に延設された長穴形状部、及び該長穴形状部より光軸側へ延設されている延長部がそれぞれ形成された一対のアイカップ爪と、
当該アイカップを接眼枠から取り外すための操作部と、
前記一対のアイカップ爪と前記操作部を保持するアイカップ本体とを備え、
前記操作部の操作が行われずに前記接眼枠から当該アイカップが取り外される方向に力が加わったときに、前記延長部を押圧する突起部を前記アイカップ本体に設けたことを特徴とするファインダ用アイカップ。
【請求項５】
前記アイカップ爪は、前記操作部が操作されたときに、前記爪部が前記接眼枠に形成された段差部から外れる方向に回動し、前記操作部が操作されずに前記突起部によって延長部が押圧されたときに、前記爪部が前記段差部を締め付ける方向に回動することを特徴とする請求項４に記載のファインダ用アイカップ。
【発明の詳細な説明】
【技術分野】
【０００１】
本発明は、カメラ本体などの接眼部に形成された接眼枠に装着されるファインダ用アイカップに関するものである。
【背景技術】
【０００２】
従来より、カメラのファインダ用アイカップは、カメラの接眼枠に取り付けられ、撮影者がファインダを覗くときに外光が入射して視界を妨げることを防止する使用頻度の高いアクセサリである。
【０００３】
この種のファインダ用アイカップに関しては、例えば特許文献１や特許文献２、特許文献３に開示されるものがあった。
【０００４】
例えば特許文献１では、アイカップに設けられたアイカップ爪をカメラ本体の接眼枠に設けられた接眼枠溝に嵌め込むことで、アイカップ爪が弾性変形して接眼枠に装着される。さらに、アイカップ爪に設けられた爪部が接眼枠に設けられた段差部に係合することで、アイカップが容易に外れないようになっている。さらに、特許文献１には、上記アイカップの改良型として、アイカップ爪を広げる方向に回動させるための操作部を設けることで、アイカップを撮影者が容易に取り外すことができる構成を提案している。
【０００５】
また、特許文献２では、ゴムなどの弾性部材を、カメラ本体に設けられた接眼枠の周囲にカメラ本体と略一体的に組み込んだ構成が提案されている。
【０００６】
また、特許文献３では、カメラ本体に設けられた接眼枠及びアイカップ各々にネジ加工を施し、アイカップを接眼枠にネジ込むことで取り付けるものが提案されている。
【０００７】
ところで、接眼枠は、上述したアイカップの他に種々の接眼アクセサリ、例えば、アイピースキャップやマグニファイヤーなどの取り付け位置として使用される場合がある。そこで、これらの接眼アクセサリを取り付ける場合には、使用頻度の高いアイカップをその都度取り外す必要があり、アイカップは容易に取り外しができる構成であることが望ましい。その一方で、例えばカメラバックにカメラを出し入れするときなど、通常に使用しているときには、不用意に外れてしまっては困るという事情もある。
【０００８】
そこで、上記特許文献１に開示されているアイカップでは、アイカップ爪に形成された爪部が接眼枠の接眼枠溝部に形成された段差部に係合することで不用意に取り外れないようにしている。しかし、撮影者がアイカップを故意に取り外すときには、アイカップ爪を弾性変形させて段差部を乗り越えながらアイカップを取り外す必要がある。そのため、段差部との係合量をむやみに増やすと、取り外し難いという問題が発生する。逆に、取り外し易さを優先して係合量を少なくすると、不用意に外れてしまうという問題が発生する。この問題を解決するものとして、アイカップ爪を回動させる操作部を設けた上記の改良型のアイカップでは、次のように作用する。即ち、撮影者がアイカップを故意に取り外すときには前記操作部を操作し、アイカップ爪に形成された爪部が、接眼枠の接眼枠溝部に形成された段差部から外れてからアイカップを取り外す。そのため、容易に取り外しが可能になる。また、この機構により、爪部と段差部の係合量を増やすことが可能となるので、不用意に外れ難くなる。
【０００９】
特許文献２に提案されているアイカップにおいては、ゴムなどの弾性部材を直接接眼枠の周囲にカメラ本体と略一体的に組み込んでいるので、不用意には外れ難くなっている。
【００１０】
また、特許文献３に提案されているアイカップにおいては、ネジ方式で接眼部とアイカップを固定するので、不用意に外れてしまうという問題は回避できる。
【特許文献１】実開平０２−８９４３５号公報
【特許文献２】実開平０４−１３０９３２号公報
【特許文献３】特開平０９−２２２５６９号公報
【発明の開示】
【発明が解決しようとする課題】
【００１１】
しかしながら、上記従来例では次のような問題点があった。
【００１２】
（１）特許文献１では、爪部と段差部の係合方向に力を働かせているのは、アイカップ爪の弾性力だけである。そのため、弾性力より強い力が働くとアイカップ爪は開いてしまい、爪部が段差部から外れて、その結果、アイカップが外れてしまうという問題は完全には回避できない。
【００１３】
（２）特許文献２では、接眼枠に他のアクセサリを取り付けるときには、ゴムなどの弾性部材の一部を弾性変形させなければならず、操作が煩わしい上に前記弾性部材を破損させてしまう問題がある。また、カメラの組立て時においても、弾性変形させて接眼枠に取り付けなければならず、組立ての作業性が著しく悪く、弾性部材を破損させてしまうという問題が残ってしまう。
【００１４】
（３）特許文献３では、他のアクセサリを取り付けるときには、アイカップを回転させて取り外さなければならないので、素早く取り外すことができず操作性が悪いという問題がある。また、接眼部及びアイカップ各々にネジ加工を施さなければならず、コストアップとなってしまうという問題がある。
【００１５】
本発明は上記従来の問題点に鑑み、カメラ本体などの接眼枠に対して容易に着脱が可能であり、且つ不用意に外れることがない安価なファインダ用アイカップを提供することを目的とする。
【課題を解決するための手段】
【００１６】
本発明は上記目的を達成するため、両端部に対向して形成された接眼枠溝と該各接眼枠溝の一部にそれぞれ設けられた段差部とを有し外部機器本体に形成された接眼枠に対して、取り付け可能に構成されたファインダ用アイカップにおいて、前記各段差部にそれぞれ係合可能な一対の爪部、及び該一対の爪部をつなぐ弾性部を有するアイカップ爪と、当該アイカップを前記接眼枠から取り外すための操作部と、前記アイカップ爪と前記操作部を保持するアイカップ本体とを備え、前記操作部の操作が行われずに前記接眼枠から当該アイカップが取り外される方向に力が加わったときに、前記弾性部を押圧する突起部を前記アイカップ本体に設けたことを特徴とする。
【００１７】
また、本発明は、両端部に対向して形成された接眼枠溝と該各接眼枠溝の一部にそれぞれ設けられた段差部とを有し外部機器本体に形成された接眼枠に対して、取り付け可能に構成されたファインダ用アイカップにおいて、前記段差部に係合可能な爪部、当該アイカップを前記接眼枠より取り外す方向に延設された長穴形状部、及び該長穴形状部より光軸側へ延設されている延長部がそれぞれ形成された一対のアイカップ爪と、当該アイカップを接眼枠から取り外すための操作部と、前記一対のアイカップ爪と前記操作部を保持するアイカップ本体とを備え、前記操作部の操作が行われずに前記接眼枠から当該アイカップが取り外される方向に力が加わったときに、前記延長部を押圧する突起部を前記アイカップ本体に設けたことを特徴とする。
【発明の効果】
【００１８】
本発明によれば、カメラ本体などの接眼枠に対して容易に着脱が可能であり、且つ不用意に外れることがない安価なファインダ用アイカップを実現することができる。
【発明を実施するための最良の形態】
【００１９】
以下、本発明の実施の形態について、図面を参照しながら説明する。
【００２０】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
［第１の実施の形態］
＜アイカップ等の構成＞
図１は、本発明の第１の実施形態に係るアイカップが取り付けられるカメラ本体の背面外観図であり、アイカップが取り外された状態を示している。図２は、カメラ本体の接眼枠の要部詳細を示す外観斜視図である。
【００２１】
図１及び図２において、カメラ本体の背面上部には、アイピースカバー１が配備され、このアイピースカバー１に接眼枠２が一体的に形成されている。さらに、アイピースカバー１は、接眼レンズ３を保持している。また、接眼枠２の両側には、本実施の形態に係るアイカップを含む種々の接眼アクセサリを取り付けるための接眼枠溝２ａが上下方向にそれぞれ設けられている。その接眼枠溝２ａの各下端部にはそれぞれ段差部２ｂが形成されている。
【００２２】
次に、図３及び図４を参照して、本実施の形態に係るアイカップの構成について説明する。図３は、第１の実施形態に係るアイカップの主要部分を示す透視斜視図であり、アイカップがカメラ本体に取り付けられていない状態を示している。図４は、第１の実施形態に係るアイカップと接眼枠の詳細な構成を示す断面図であり、アイカップがカメラ本体に取り付けられている状態を示している。より具体的には、図４は、図３の状態からアイカップゴム５とカバー６を取り外した状態を示し、接眼枠２は断面状態を示している。
【００２３】
図３に示すように、本実施の形態のアイカップは、アイカップゴム５と、接眼視野枠を有するカバー６と、アイカップ爪７を備えている。アイカップゴム５は撮影者がファインダを覗いたときに感触を良くするために設置されている。カバー６は、アイカップ本体４（図４）にアイカップゴム５と共に接着固定されている。
【００２４】
アイカップ爪７は、爪部７ａを両側に備えていて、アイカップが接眼枠２に装着されると爪部７ａが段差部２ｂに引っかかり、不用意に外れるのを防止することができる。さらに、アイカップ爪７には弾性部７ｂが形成されている。アイカップゴム５の中には操作部８が左右にそれぞれ備えられていて、アイカップゴム５に形成された凸形状５ａを押すことで、爪部７ａを回動させることができる（詳細は後述する）。本実施形態のアイカップは、カメラ本体における接眼枠２の接眼枠溝２ａにアイカップ爪７を嵌め込むことによりカメラ本体に取り付けられる。
【００２５】
図４に示すように、アイカップ本体４には、操作部８が設けられている。操作部８は、アイカップ本体４に形成された軸４ｃに回転可能に取り付けられている。また、アイカップ本体４には突起部４ａと位置決め部４ｂが形成されている。アイカップ爪７に形成されている凹部７ｄが突起部４ｂに嵌合することで、アイカップ爪７の位置が決まる構成となっている。
【００２６】
＜アイカップの取り付け＞
アイカップをカメラ本体に形成された接眼枠２に取り付ける際には、次のように作用する。
【００２７】
アイカップ爪７は、接眼枠２に形成された接眼枠溝２ａに沿うことで、弾性部７ｂが弾性変形して外側に押し広げられた状態で挿入される。そして、接眼枠２の段差部２ｂにアイカップ爪７の爪部７ａが落ち込むことで係止する。
【００２８】
＜アイカップの取り外し＞
次に、アイカップを接眼枠２から取り外す場合について、図５を参照して説明する。
【００２９】
図５は、図４のアイカップと接眼枠の構成においてアイカップを接眼枠２から取り外す際の作用状態を示す断面図である。
【００３０】
アイカップを接眼枠２から取り外す際には、次のように作用する。
【００３１】
アイカップゴム５に形成された凸形状５ａ（図３参照）を押すと、その内側にある操作部８がアイカップ本体４に形成された軸４ｃを中心として回動する。その結果、操作部８に形成されているカム形状８ａが、アイカップ爪７に形成されているカム形状７ｃを押すことになる。これによって、弾性部７ｂが図５に示す矢印Ｂの方向に弾性変形し、爪部７ａが段差部２ｂから待避する（図５において、破線状態Ｙ１から実線状態Ｙ２となる）。
【００３２】
爪部７ａが段差部２ｂから待避された状態でアイカップを紙面上方向に引き上げることで、撮影者は容易にアイカップを取り外すことができる。
【００３３】
＜取り外し方向に不用意な力が加わった場合＞
次に、操作部８が操作されることなく、アイカップに対して取り外し方向に不用意な力が加わった場合について、図６を参照して説明する。
【００３４】
図６は、図４のアイカップと接眼枠の構成においてアイカップに対して取り外し方向に不用意な力が加わった際の作用状態を示す断面図である。
【００３５】
例えば、カメラ本体をカメラバックに仕舞うときなど、撮影者が意識せずにアイカップに対して取り外し方向に力が加わってしまうことがある。このように、操作部８が操作されずにアイカップが取り外し方向（図６における紙面上方向）に力が加わると、アイカップ本体４が図６の矢印Ａ方向へ移動しようとする。
【００３６】
その結果、アイカップ本体４に形成された突起部４ａがアイカップ爪７の弾性部７ｂの略中央部（７ｂ´部）を押し上げようとする。すると、弾性部７ｂは、アイカップ爪７の爪部７ａが接眼枠２の段差部２ｂを締め付ける方向（図６の矢印Ｃの方向）に弾性変形するため、爪部７ａは矢印Ｃ´の方向へ力が働くことになる。つまり、爪部７ａと段差部２ｂの係止状態を保とうとする力が発生するため、爪部７ａは段差部２ｂから外れることがなくなり、結果、アイカップが不用意に外れないようになる。
【００３７】
＜第１の実施の形態に係る利点＞
本実施の形態によれば、撮影者が、カメラ本体に形成された接眼枠２からアイカップを取り外すために操作部８を操作した場合には、次のように作用する。即ち、この場合には、アイカップ爪７に形成された爪部７ａが接眼枠２に形成された段差部２ｂから待避する方向に回動するように、弾性部７ｂが弾性変形（図５の矢印Ｂの方向）する。これにより、撮影者はアイカップを容易に取り外すことができる。
【００３８】
さらに、操作部８が操作されていないときに、アイカップが接眼枠２から取り外される方向に不用意な力が加わった場合には、次のように作用する。即ち、この場合には、アイカップ爪７の爪部７ａが段差部２ｂを締め付ける方向に、弾性部７ｂが弾性変形する（図６における矢印Ｃの方向）。その結果、アイカップがカメラ本体から不用意に外れてしまうという問題を回避することができる。
【００３９】
さらには、ゴムなどの弾性部を変形させることなく操作部８を操作するだけでアイカップの着脱が可能であるため、容易にアイカップの着脱が可能となる。これにより、着脱時にアイカップを破損させてしまうという問題を回避することができる。また、ネジ加工などの必要がないので、安価にアイカップを構成することができる。
［第２の実施の形態］
第２の実施の形態では、アイカップの構成が上記第１の実施の形態と異なり、カメラ本体及び接眼枠などの構成は第１の実施の形態と同一である。また、第１の実施の形態と同一の符号が付いているものは同一の機能を有しているので、詳細な説明は省略する。
【００４０】
＜アイカップの構成＞
図７は、第２の実施形態に係るアイカップと接眼枠の構成を示す断面図であり、アイカップがカメラ本体に取り付けられている状態を示している。より具体的には、図７は、アイカップゴム５とカバー６を取り外した状態を示し、接眼枠２は断面状態を示している。
【００４１】
図７に示すように、第２の実施形態に係るアイカップは、アイカップ爪１０が２個に分離して配置されている。即ち、アイカップ爪１０は、アイカップ本体４の左右に一対取り付けられ、それぞれアイカップ爪軸４ｅが形成されている。一対のアイカップ爪１０には、爪部１０ａ、カム形状１０ｂ、及び長穴形状部１０ｄがそれぞれ形成され、そして長穴形状部１０ｄより光軸側にアイカップ爪１０の延長部１０ｃがそれぞれ形成されている。
【００４２】
各アイカップ爪１０のカム形状１０ｂは、操作部８に形成されているカム形状８ａと係合する位置に配設されている。また、長穴形状部１０ｄは、アイカップを接眼枠２から取り外す方向に延設され、アイカップ本体４に形成されたアイカップ爪軸４ｅに可動可能な状態で嵌合されている。
【００４３】
＜アイカップの取り付け＞
本実施の形態に係るアイカップをカメラ本体に形成された接眼枠２に取り付ける際には、次のように作用する。
【００４４】
アイカップ爪１０は、図７における左右方向に適度な柔軟性を持っている。第２の実施形態のアイカップを接眼枠２に取り付けるに際しては、アイカップ爪１０は、接眼枠２に形成された接眼枠溝２ａに沿って外側に押し広げられる状態で挿入される。そして、接眼枠２の段差部２ｂに爪部１０ａが落ち込むことで係止する。
【００４５】
＜アイカップの取り外し＞
次に、アイカップを接眼枠２から取り外す場合について説明する。
【００４６】
アイカップゴム５に形成された凸形状５ａ（図３参照）を押すと、その内側にある操作部８がアイカップ本体４に形成された軸４ｃを中心として回動する。その結果、操作部８に形成されているカム形状８ａが、アイカップ爪１０に形成されているカム形状１０ｂを押すことになる。
【００４７】
これによって、アイカップ爪１０はアイカップ本体４に形成されたアイカップ爪軸４ｅを中心として、爪部１０ａが段差部２ｂから待避する方向に回動する。爪部１０ａが段差部２ｂから完全に待避した状態で、アイカップを引き上げることで、撮影者は容易にアイカップを取り外すことができる。
【００４８】
＜取り外し方向に不用意な力が加わった場合＞
次に、操作部８が操作されることなく、アイカップに対して取り外し方向に不用意な力が加わった場合について、図８を参照して説明する。
【００４９】
図８は、図７のアイカップと接眼枠の構成においてアイカップに対して取り外し方向に不用意な力が加わった際の作用状態を示す断面図である。
【００５０】
操作部８が操作されずにアイカップが取り外し方向（図７における紙面上方向）に不用意な力が加わると、アイカップ本体４が図８の矢印Ａ方向へ移動しようとする。その結果、アイカップ本体４に形成された突起部４ａがアイカップ爪１０に形成された延長部１０ｃを押し上げる。すると、アイカップ爪１０は、アイカップ本体４に形成されたアイカップ爪軸４ｅを中心として、図８の矢印Ｂの方向に回動する力が発生する。同時に、アイカップ爪１０の爪部１０ａが接眼枠２の段差部２ｂを締め付ける方向（矢印Ｂ´の方向）に力が働くことになる。つまり、爪部１０ａと段差部２ｂの係止状態を保とうとする力が発生するため、爪部１０ａは、段差部２ｂから外れることがなくなり、その結果、アイカップが不用意に外れないようになる。
【００５１】
＜第２の実施の形態に係る利点＞
本実施の形態によれば、撮影者が、アイカップをカメラ本体から取り外すために操作部８を操作した場合には、アイカップ爪１０に形成された爪部１０ａが接眼枠２に形成された段差部２ｂから待避する方向に回動する。そのため、撮影者は容易にアイカップをカメラ本体から取り外すことが可能となる。
【００５２】
さらに、操作部８が操作されていない状態でアイカップが接眼枠２から取り外される方向に不用意な力が加わった場合には、次のように作用する。即ち、この場合には、アイカップ爪１０の爪部１０ａが段差部２ｂを締め付ける方向に力が加わる。その結果、アイカップが不用意にカメラ本体から外れてしまうという問題を回避することができる。
【００５３】
また、上記第１の実施の形態と同様に、着脱容易なアイカップを安価に実現することができる。
【図面の簡単な説明】
【００５４】
【図１】第１の実施形態に係るアイカップが取り付けられるカメラ本体の背面外観図である。
【図２】カメラ本体の接眼枠の要部詳細を示す外観斜視図である。
【図３】第１の実施形態に係るアイカップの主要部分を示す透視斜視図である。
【図４】第１の実施形態に係るアイカップと接眼枠の詳細な構成を示す断面図である。
【図５】図４のアイカップと接眼枠の構成においてアイカップを接眼枠２から取り外す際の作用状態を示す断面図である。
【図６】図４のアイカップと接眼枠の構成においてアイカップに対して取り外し方向に不用意な力が加わった際の作用状態を示す断面図である。
【図７】第２の実施形態に係るアイカップと接眼枠の構成を示す断面図である。
【図８】図７のアイカップと接眼枠の構成においてアイカップに対して取り外し方向に不用意な力が加わった際の作用状態を示す断面図である。
【符号の説明】
【００５５】
２  接眼枠
２ａ  接眼枠溝
２ｂ  段差部
４  アイカップ本体
４ａ  突起部
７、１０  アイカップ爪
７ａ，１０ａ  爪部
７ｂ  弾性部
８  操作部
１０ｃ  延長部
１０ｄ  長穴形状部
【図１】
2008191314.tif 000003
【図２】
2008191314.tif 000004
【図３】
2008191314.tif 000005
【図４】
2008191314.tif 000006
【図５】
2008191314.tif 000007
【図６】
2008191314.tif 000008
【図７】
2008191314.tif 000009
【図８】
2008191314.tif 000010
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
接眼部に装着可能なアクセサリユニットであって、
前記接眼部に係合可能な係合爪部を有する係合部材と、
ユーザによって操作されることで前記係合爪部と前記接眼部との係合を解除する方向に前記係合爪部を変位させる操作部と、
前記操作部が操作されることなく前記接眼部に装着された前記アクセサリユニットに対して装着方向とは反対方向の力が加わるときに、前記係合爪部と前記接眼部とが係合する方向に前記係合爪部を変位させる機構部とを有することを特徴とするアクセサリユニット。
【請求項２】
接眼部に装着可能なアクセサリユニットであって、
前記接眼部に係合可能な係合爪部と弾性変形することで前記係合爪部を変位させる弾性部とを有する係合部材と、
ユーザによって操作されることで前記係合爪部と前記接眼部との係合を解除する方向に前記係合爪部を変位させるように前記弾性部を弾性変形させる操作部と、
前記操作部が操作されることなく前記接眼部に装着された前記アクセサリユニットに対して装着方向とは反対方向の力が加わるときに前記弾性部を押圧する押圧部とを有し、
前記押圧部は、前記弾性部を押圧して前記係合爪部と前記接眼部とが係合する方向に前記係合爪部を変位させるように前記弾性部を弾性変形させることを特徴とするアクセサリユニット。
【請求項３】
前記係合爪部は、前記接眼部の両側面に形成された溝のそれぞれに入る一対の係合爪部であることを特徴とする請求項２に記載のアクセサリユニット。
【請求項４】
前記弾性部は、一対の前記係合爪部をつなぐ部分であることを特徴とする請求項３に記載のアクセサリユニット。
【請求項５】
前記押圧部は、前記弾性部の中央部分を前記アクセサリユニットの装着方向とは反対の方向に押圧することを特徴とする請求項４に記載のアクセサリユニット。
【請求項６】
前記押圧部は、アクセサリユニット本体に一体的に形成されることを特徴とする請求項５に記載のアクセサリユニット。
【請求項７】
前記アクセサリユニット本体は、前記係合部材を前記アクセサリユニット本体に位置決めする位置決め部を有し、
前記押圧部は、前記係合部材が前記位置決め部と接する面の裏面を押圧することを特徴とする請求項６に記載のアクセサリユニット。
【請求項８】
接眼部に装着可能なアクセサリユニットであって、
前記接眼部に係合可能な係合爪部を有し、前記係合爪部と前記接眼部とが係合する方向と、前記係合爪部と前記接眼部との係合が解除する方向に回動可能に保持される係合部材と、
ユーザによって操作されることで前記係合爪部と前記接眼部との係合が解除する方向に前記係合爪部を変位させるように前記係合爪部を回動させる操作部と、
前記操作部が操作されることなく前記接眼部に装着された前記アクセサリユニットに対して装着方向とは反対方向の力が加わるときに前記係合爪部を押圧する押圧部とを有し、
前記押圧部は、前記係合爪部を押圧して前記係合爪部と前記接眼部とが係合する方向に前記係合爪部を変位させるように前記係合爪部を回動させることを特徴とするアクセサリユニット。
【請求項９】
前記係合部材は、前記操作部と前記押圧部との間に回動中心が設定されることを特徴とする請求項８に記載のアクセサリユニット。
【請求項１０】
カメラ本体と前記カメラ本体に装着可能なアクセサリユニットからなるカメラシステムであって、
前記カメラ本体は、前記アクセサリユニットを装着する接眼部を有し、
前記アクセサリユニットは、前記接眼部に係合可能な係合爪部を有する係合部材と、
ユーザによって操作されることで前記係合爪部と前記接眼部との係合を解除する方向に前記係合爪部を変位させる操作部と、
前記操作部が操作されることなく前記接眼部に装着された前記アクセサリユニットに対して装着方向とは反対方向の力が加わるとき、前記係合爪部と前記接眼部とが係合する方向に前記係合爪部を変位させる機構部とを有することを特徴とするカメラシステム。
【請求項１１】
カメラ本体と前記カメラ本体に装着可能なアクセサリユニットからなるカメラシステムであって、
前記カメラ本体は、前記アクセサリユニットを装着する接眼部を有し、
前記アクセサリユニットは、前記接眼部に係合可能な係合爪部と弾性変形することで前記係合爪部を変位させる弾性部とを有する係合部材と、
ユーザによって操作されることで前記係合爪部と前記接眼部との係合を解除する方向に前記係合爪部を変位させるように前記弾性部を弾性変形させる操作部と、
前記操作部が操作されることなく前記接眼部に装着された前記アクセサリユニットに対して装着方向とは反対方向の力が加わるときに前記弾性部を押圧する押圧部とを有し、
前記押圧部は、前記弾性部を押圧して前記係合爪部と前記接眼部とが係合する方向に前記係合爪部を変位させるように前記弾性部を弾性変形させることを特徴とするカメラシステム。
【請求項１２】
カメラ本体と前記カメラ本体に装着可能なアクセサリユニットからなるカメラシステムであって、
前記カメラ本体は、前記アクセサリユニットを装着する接眼部を有し、
前記アクセサリユニットは、前記接眼部に係合可能な係合爪部を有し前記係合爪部と前記接眼部とが係合する方向と、前記係合爪部と前記接眼部との係合が解除する方向に回動可能に保持される係合部材と、
ユーザによって操作されることで前記係合爪部と前記接眼部との係合が解除する方向に前記係合爪部を変位させるように前記係合爪部を回動させる操作部と、
前記操作部が操作されることなく前記接眼部に装着された前記アクセサリユニットに対して装着方向とは反対方向の力が加わるときに前記係合爪部を押圧する押圧部とを有し、
前記押圧部は、前記係合爪部を押圧して前記係合爪部と前記接眼部とが係合する方向に前記係合爪部を変位させるように前記係合爪部を回動させることを特徴とするカメラシステム。
【手続補正３】
【補正対象書類名】明細書
【補正対象項目名】０００１
【補正方法】変更
【補正の内容】
【０００１】
本発明は、カメラ本体などの接眼部に着脱可能なアクセサリユニット及びそのアクセサリユニットとカメラ本体から形成されるカメラシステムに関するものである。
【手続補正４】
【補正対象書類名】明細書
【補正対象項目名】０００７
【補正方法】変更
【補正の内容】
【０００７】
ところで、接眼枠は、上述したアイカップの他に種々のアクセサリユニット、例えば、アイピースキャップやマグニファイヤーなどの取り付け位置として使用される場合がある。そこで、これらのアクセサリユニットを取り付ける場合には、使用頻度の高いアイカップをその都度取り外す必要があり、アイカップは容易に取り外しができる構成であることが望ましい。その一方で、例えばカメラバックにカメラを出し入れするときなど、ユーザが意図していないのに外れてしまっては困るという事情もある。
【手続補正５】
【補正対象書類名】明細書
【補正対象項目名】０００８
【補正方法】変更
【補正の内容】
【０００８】
そこで、上記特許文献１に開示されているアイカップでは、アイカップ爪に形成された爪部が接眼枠の溝部に形成された段差部に係合することで容易に外れないようにしている。しかし、撮影者がアイカップを故意に取り外すときには、アイカップ爪を弾性変形させて段差部を乗り越えながらアイカップを取り外す必要がある。そのため、段差部との係合量をむやみに増やすと、取り外し難いという問題が発生する。逆に、取り外し易さを優先して係合量を少なくすると、撮影者が意図していないのに外れてしまうという問題が発生する。この問題を解決するものとして、アイカップ爪を回動させる操作部を設けた上記の改良型のアイカップでは、次のように作用する。即ち、撮影者がアイカップを故意に取り外すときには前記操作部を操作し、アイカップ爪に形成された爪部が、接眼枠の溝部に形成された段差部から外れてからアイカップを取り外す。そのため、容易に取り外しが可能になる。
【手続補正６】
【補正対象書類名】明細書
【補正対象項目名】０００９
【補正方法】変更
【補正の内容】
【０００９】
特許文献２に提案されているアイカップにおいては、ゴムなどの弾性部材を直接接眼枠の周囲にカメラ本体と略一体的に組み込んでいるので、撮影者の操作なしでは外れ難くなっている。
【手続補正７】
【補正対象書類名】明細書
【補正対象項目名】００１０
【補正方法】変更
【補正の内容】
【００１０】
また、特許文献３に提案されているアイカップにおいては、ネジ方式で接眼部とアイカップを固定するので、撮影者が意図していないときに外れてしまうという問題は回避できる。
【手続補正８】
【補正対象書類名】明細書
【補正対象項目名】００１５
【補正方法】変更
【補正の内容】
【００１５】
本発明の目的は、カメラ本体などの接眼枠に対して容易に着脱が可能であり、且つユーザが意図していないときに外れることがないアクセサリユニット及びカメラシステムを提供することにある。
【手続補正９】
【補正対象書類名】明細書
【補正対象項目名】００１６
【補正方法】変更
【補正の内容】
【００１６】
本発明は上記目的を達成するため、接眼部に装着可能なアクセサリユニットであって、前記接眼部に係合可能な係合爪部を有する係合部材と、ユーザによって操作されることで前記係合爪部と前記接眼部との係合を解除する方向に前記係合爪部を変位させる操作部と、前記操作部が操作されることなく前記接眼部に装着された前記アクセサリユニットに対して装着方向とは反対方向の力が加わるときに、前記係合爪部と前記接眼部とが係合する方向に前記係合爪部を変位させる機構部とを有することを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明によれば、カメラ本体などの接眼枠に対して容易に着脱が可能であり、且つユーザが意図していないときに外れることがないアクセサリユニットを実現することができる。
【手続補正１２】
【補正対象書類名】明細書
【補正対象項目名】００２４
【補正方法】変更
【補正の内容】
【００２４】
アイカップ爪７は、爪部７ａを両側に備えていて、アイカップが接眼枠２に装着されると爪部７ａが段差部２ｂに引っかかり、容易に外れるのを防止することができる。さらに、アイカップ爪７には弾性部７ｂが形成されている。アイカップゴム５の中には操作部８が左右にそれぞれ備えられていて、アイカップゴム５に形成された凸形状５ａを押すことで、爪部７ａを回動させることができる（詳細は後述する）。本実施形態のアイカップは、カメラ本体における接眼枠２の接眼枠溝２ａにアイカップ爪７を嵌め込むことによりカメラ本体に取り付けられる。
【手続補正１３】
【補正対象書類名】明細書
【補正対象項目名】００３３
【補正方法】変更
【補正の内容】
【００３３】
＜取り外し方向に力が加わった場合＞
次に、操作部８が操作されることなく、アイカップに対して取り外し方向に力が加わった場合について、図６を参照して説明する。
【手続補正１４】
【補正対象書類名】明細書
【補正対象項目名】００３４
【補正方法】変更
【補正の内容】
【００３４】
図６は、図４のアイカップと接眼枠の構成において、操作部８が操作されることなくアイカップに対して取り外し方向に力が加わった際の作用状態を示す断面図である。
【手続補正１５】
【補正対象書類名】明細書
【補正対象項目名】００３５
【補正方法】変更
【補正の内容】
【００３５】
例えば、カメラ本体をカメラバックに入れるときなど、撮影者が意図せずにアイカップに対して取り外し方向に力が加わってしまうことがある。このように、操作部８が操作されずにアイカップが取り外し方向（図６における紙面上方向）に力が加わると、アイカップ本体４が図６の矢印Ａ方向へ移動しようとする。
【手続補正１６】
【補正対象書類名】明細書
【補正対象項目名】００３６
【補正方法】変更
【補正の内容】
【００３６】
その結果、アイカップ本体４に形成された突起部４ａがアイカップ爪７の弾性部７ｂの略中央部（７ｂ´部）を押し上げようとする。すると、弾性部７ｂは、アイカップ爪７の爪部７ａが接眼枠２の段差部２ｂを締め付ける方向（図６の矢印Ｃの方向）に弾性変形するため、爪部７ａは矢印Ｃ´の方向へ力が働くことになる。つまり、爪部７ａと段差部２ｂの係止状態を保とうとする力が発生するため、爪部７ａは段差部２ｂから外れることがなくなり、結果、アイカップが容易に外れないようになる。
【手続補正１７】
【補正対象書類名】明細書
【補正対象項目名】００３８
【補正方法】変更
【補正の内容】
【００３８】
さらに、操作部８が操作されていないときに、アイカップが接眼枠２から取り外される方向に力が加わった場合には、次のように作用する。即ち、この場合には、アイカップ爪７の爪部７ａが段差部２ｂを締め付ける方向に、弾性部７ｂが弾性変形する（図６における矢印Ｃの方向）。その結果、撮影者が意図していないのにアイカップがカメラ本体から外れてしまうという問題を回避することができる。
【手続補正１８】
【補正対象書類名】明細書
【補正対象項目名】００４１
【補正方法】変更
【補正の内容】
【００４１】
図７に示すように、第２の実施形態に係るアイカップは、アイカップ爪１０が２個に分離して配置されている。即ち、アイカップ爪１０は、アイカップ本体４の左右に一対取り付けられ、それぞれアイカップ爪軸４ｅが形成されている。一対のアイカップ爪１０には、爪部１０ａ、カム形状１０ｂ、及び長穴形状部１０ｄがそれぞれ形成され、そして長穴形状部１０ｄよりアイカップ本体４の中心方向にアイカップ爪１０の延長部１０ｃがそれぞれ形成されている。
【手続補正１９】
【補正対象書類名】明細書
【補正対象項目名】００４８
【補正方法】変更
【補正の内容】
【００４８】
＜取り外し方向に力が加わった場合＞
次に、操作部８が操作されることなく、アイカップに対して取り外し方向に力が加わった場合について、図８を参照して説明する。
【手続補正２０】
【補正対象書類名】明細書
【補正対象項目名】００４９
【補正方法】変更
【補正の内容】
【００４９】
図８は、図７のアイカップと接眼枠の構成において、操作部８が操作されることなくアイカップに対して取り外し方向に力が加わった際の作用状態を示す断面図である。
【手続補正２１】
【補正対象書類名】明細書
【補正対象項目名】００５０
【補正方法】変更
【補正の内容】
【００５０】
操作部８が操作されずにアイカップが取り外し方向（図７における紙面上方向）に力が加わると、アイカップ本体４が図８の矢印Ａ方向へ移動しようとする。その結果、アイカップ本体４に形成された突起部４ａがアイカップ爪１０に形成された延長部１０ｃを押し上げる。すると、アイカップ爪１０は、アイカップ本体４に形成されたアイカップ爪軸４ｅを中心として、図８の矢印Ｄの方向に回動する力が発生する。同時に、アイカップ爪１０の爪部１０ａが接眼枠２の段差部２ｂを締め付ける方向（矢印Ｄ´の方向）に力が働くことになる。つまり、爪部１０ａと段差部２ｂの係止状態を保とうとする力が発生するため、爪部１０ａは、段差部２ｂから外れることがなくなり、その結果、アイカップが容易に外れないようになる。
【手続補正２２】
【補正対象書類名】明細書
【補正対象項目名】００５２
【補正方法】変更
【補正の内容】
【００５２】
さらに、操作部８が操作されていない状態でアイカップが接眼枠２から取り外される方向に力が加わった場合には、次のように作用する。即ち、この場合には、アイカップ爪１０の爪部１０ａが段差部２ｂを締め付ける方向に力が加わる。その結果、撮影者が意図していないのにアイカップがカメラ本体から外れてしまうという問題を回避することができる。
【手続補正２３】
【補正対象書類名】図面
【補正対象項目名】図４
【補正方法】変更
【補正の内容】
【図４】
2008191314.tif 000011
【手続補正２４】
【補正対象書類名】図面
【補正対象項目名】図５
【補正方法】変更
【補正の内容】
【図５】
2008191314.tif 000012
【手続補正２５】
【補正対象書類名】図面
【補正対象項目名】図６
【補正方法】変更
【補正の内容】
【図６】
2008191314.tif 000013
【手続補正２６】
【補正対象書類名】図面
【補正対象項目名】図７
【補正方法】変更
【補正の内容】
【図７】
2008191314.tif 000014
【手続補正２７】
【補正対象書類名】図面
【補正対象項目名】図８
【補正方法】変更
【補正の内容】
【図８】
2008191314.tif 000015